(57)【特許請求の範囲】
【請求項１】
ネットワークを介して通信可能な周辺装置から取得した当該周辺装置に関する情報を表示するための制御を行う表示制御手段と、
前記周辺装置から、当該周辺装置で設定可能な複数の言語を識別する識別情報を取得する取得手段と、
前記取得手段で取得した識別情報によって識別される複数の言語の中で前記表示制御手段において表示可能な複数の言語を抽出し、該抽出された複数の言語の中からいずれかの言語を選択させるための選択手段と、
前記選択手段において選択された言語を識別する識別情報を前記周辺装置に対して送信する送信手段と、
前記周辺装置から前記送信手段により送信された識別情報で識別される言語で表現された周辺装置に関する情報を受信する受信手段とを有し、
前記表示制御手段は前記受信手段で受信した識別情報で識別される言語で表現された周辺装置に関する情報を表示するための制御を行うことを特徴とする情報処理装置。
【請求項２】
前記周辺装置にはウェブサーバが稼動しており、前記受信手段は前記周辺装置よりウェブコンテンツを受信することを特徴とする請求項１に記載の情報処理装置。
【請求項３】
前記周辺装置に関する情報とは、周辺装置を構成する部品の部品情報であることを特徴とする請求項１又は２に記載の情報処理装置。
【請求項４】
ネットワークを介して通信可能な周辺装置から取得した当該周辺装置に関する情報を表示するための制御を行う表示制御ステップと、
前記周辺装置から、当該周辺装置で設定可能な複数の言語を識別する識別情報を取得する取得ステップと、
前記取得ステップで取得した識別情報によって識別される複数の言語の中で前記表示制御ステップにおいて表示可能な複数の言語を抽出し、該抽出された複数の言語の中からいずれかの言語を選択させるための選択ステップと、
前記選択ステップにおいて選択された言語を識別する識別情報を前記周辺装置に対して送信する送信ステップと、
前記周辺装置から前記送信ステップにより送信された識別情報で識別される言語で表現された周辺装置に関する情報を受信する受信ステップとを有し、
前記表示制御ステップは前記受信ステップで受信した識別情報で識別される言語で表現された周辺装置に関する情報を表示するための制御を行うことを特徴とする情報処理方法。
【請求項５】
前記周辺装置にはウェブサーバが稼動しており、前記受信ステップは前記周辺装置よりウェブコンテンツを受信することを特徴とする請求項４に記載の情報処理方法。
【請求項６】
前記周辺装置に関する情報とは、周辺装置を構成する部品の部品情報であることを特徴とする請求項４又は５に記載の情報処理方法。
【請求項７】
情報処理方法をコンピュータに実行させるプログラムであって、
前記情報処理方法は、ネットワークを介して通信可能な周辺装置から取得した当該周辺装置に関する情報を表示するための制御を行う表示制御ステップと、
前記周辺装置から、当該周辺装置で設定可能な複数の言語を識別する識別情報を取得する取得ステップと、
前記取得ステップで取得した識別情報によって識別される複数の言語の中で前記表示制御ステップにおいて表示可能な複数の言語を抽出し、該抽出された複数の言語の中からいずれかの言語を選択させるための選択ステップと、
前記選択ステップにおいて選択された言語を識別する識別情報を前記周辺装置に対して送信する送信ステップと、
前記周辺装置から前記送信ステップにより送信された識別情報で識別される言語で表現された周辺装置に関する情報を受信する受信ステップとを有し、
前記表示制御ステップは前記受信ステップで受信した識別情報で識別される言語で表現された周辺装置に関する情報を表示するための制御を行うことを特徴とするプログラム。
【発明の詳細な説明】
【０００１】
【発明の属する技術分野】
本発明はプリンタ、スキャナ、複写機、ＦＡＸ等の周辺機器を制御する情報処理装置及び方法、並びにプログラムに関する。
【０００２】
【従来の技術】
従来、プリンタ等の周辺機器において、表示装置のローカライズはできたが、パーソナルコンピュータ側が取得する属性情報の地域・言語対応ができずに、ある地域・言語に固定であった。
【０００３】
また、従来、プリンタ等の周辺機器において、一部の装置では表示装置のローカライズはできたが、ウェブ・ブラウザ側が取得するウェブ・コンテンツ情報の地域・言語対応ができずに、ある地域・言語に固定であった。或いは、前記ウェブ・コンテンツ情報はウェブ・ブラウザの指定により、その都度選択されていた。
【０００４】
【発明が解決しようとする課題】
しかしながら、上述した従来技術にあっては、以下のような問題があった。
【０００５】
即ち、周辺機器が接続されているネットワーク環境において、複数種類の言語のＯＳ（オペレーティングシステム）を搭載したパーソナルコンピュータが前記周辺機器と同じネットワークに接続されており、それらのパーソナルコンピュータが前記周辺機器から属性情報或いはウェブ・コンテンツを取得するような場合、例えば、前記周辺機器が前記属性情報或いはウェブ・コンテンツを日本語で提供していると、一部のパーソナルコンピュータでは、それらの情報を表示する際に文字化けを起こしていた。
【０００６】
また、製造者側も仕向地別に周辺機器を出荷しなければならず、生産管理が面倒であった。そして、仕向地別に地域・言語対応されていると、例えば、日本で活動しているが英語しか読めないユーザにとっては不都合であった。
【０００７】
他方、同じネットワーク環境において、周辺機器が属性情報或いはウェブ・コンテンツを英語で提供していると、大体の状況においては文字化けを起こさなくて済むが、パーソナルコンピュータを利用するユーザが英語を解釈することができなければ、その意味を理解することができなかった。
【０００８】
また、仕向地毎に周辺機器に装着可能な部品の部品名称や部品コードが異なることが多かったために、上記言語対応と同じ問題が起きていた。つまり、周辺機器側に部品名称の情報を持たせる場合には、仕向地毎にその内容を変えて出荷する必要があった。
【０００９】
更に、プラウザに応じてウェブ・コンテンツの言語対応ができる周辺機器においては、各地域、各言語に対応したウェブ・コンテンツを周辺機器内に保持しておかなければならず、容量の大きい記憶装置を搭載する必要があった。これは殆どの言語に対応した情報が利用されない現状に鑑みると無駄なコストを生む原因となっていた。
【００１０】
本発明は、上述した従来技術の有する問題点を解消するためになされたもので、その目的は、ウェブコンテンツの地域・言語情報に指定可能な情報を、ネットワーク等の通信手段を介して外部から取得及び設定することができる情報処理装置及び方法、並びにプログラムを提供することである。
【００１２】
【課題を解決するための手段】
上記を達成するために、本発明による情報処理装置は、ネットワークを介して通信可能な周辺装置から取得した当該周辺装置に関する情報を表示するための制御を行う表示制御手段と、前記周辺装置から、当該周辺装置で設定可能な複数の言語を識別する識別情報を取得する取得手段と、前記取得手段で取得した識別情報によって識別される複数の言語の中で前記表示制御手段において表示可能な複数の言語を抽出し、該抽出された複数の言語の中からいずれかの言語を選択させるための選択手段と、前記選択手段において選択された言語を識別する識別情報を前記周辺装置に対して送信する送信手段と、前記周辺装置から前記送信手段により送信された識別情報で識別される言語で表現された周辺装置に関する情報を受信する受信手段とを有し、前記表示制御手段は前記受信手段で受信した識別情報で識別される言語で表現された周辺装置に関する情報を表示するための制御を行うことを特徴とする。
【００１３】
本発明による情報処理方法は、ネットワークを介して通信可能な周辺装置から取得した当該周辺装置に関する情報を表示するための制御を行う表示制御ステップと、前記周辺装置から、当該周辺装置で設定可能な複数の言語を識別する識別情報を取得する取得ステップと、前記取得ステップで取得した識別情報によって識別される複数の言語の中で前記表示制御ステップにおいて表示可能な複数の言語を抽出し、該抽出された複数の言語の中からいずれかの言語を選択させるための選択ステップと、前記選択ステップにおいて選択された言語を識別する識別情報を前記周辺装置に対して送信する送信ステップと、前記周辺装置から前記送信ステップにより送信された識別情報で識別される言語で表現された周辺装置に関する情報を受信する受信ステップとを有し、前記表示制御ステップは前記受信ステップで受信した識別情報で識別される言語で表現された周辺装置に関する情報を表示するための制御を行うことを特徴とする。
【００１４】
本発明によるプログラムは、情報処理方法をコンピュータに実行させるプログラムであって、前記情報処理方法は、ネットワークを介して通信可能な周辺装置から取得した当該周辺装置に関する情報を表示するための制御を行う表示制御ステップと、前記周辺装置から、当該周辺装置で設定可能な複数の言語を識別する識別情報を取得する取得ステップと、前記取得ステップで取得した識別情報によって識別される複数の言語の中で前記表示制御ステップにおいて表示可能な複数の言語を抽出し、該抽出された複数の言語の中からいずれかの言語を選択させるための選択ステップと、前記選択ステップにおいて選択された言語を識別する識別情報を前記周辺装置に対して送信する送信ステップと、前記周辺装置から前記送信ステップにより送信された識別情報で識別される言語で表現された周辺装置に関する情報を受信する受信ステップとを有し、前記表示制御ステップは前記受信ステップで受信した識別情報で識別される言語で表現された周辺装置に関する情報を表示するための制御を行うことを特徴とする。
【００５６】
【発明の実施の形態】
以下、本発明の各実施の形態を図面に基づき説明する。
【００５７】
（第１の実施の形態）
まず、本発明の第１の実施の形態を図１〜図２１に基づき説明する。
【００５８】
図１は、本発明の第１の実施の形態に係る周辺機器制御システムの全体構成を示すブロック図である。
【００５９】
図１において、１０１は周辺機器を制御するためのコントローラで、後述する図２に示すようなハードウェア構成を有している。１０２はコントローラ１０１が周辺機器の外部と通信するための通信インターフェースで、この通信インターフェース１０２としては、例えば、イーサネット（Ｒ）インターフェースやＩＥＥＥ１２８４インターフェース、若しくは、その他の通信インターフェースであっても良い。１０３は周辺機器であるスキャナエンジンで、コントローラ１０１によって制御される。１０４は周辺機器であるプリンタエンジンで、コントローラ１０１によって制御される。このプリンタエンジン１０４としては、例えば、レーザービームプリンタやインクジェットプリンタ、若しくは、その他のプリンタであっても良い。１０５は画像の送受信時の通信制御等、ＦＡＸ（ファクシミリ）機能を実現するための周辺機器であるＦＡＸボードで、コントローラ１０１によって制御される。１０６はユーザインターフェースで、ＬＣＤ（液晶表示器）等から成るディスプレイとキーボードとから構成されている。そして、ＦＡＸボード１０５は、コントローラ１０１からの情報表示を行なうと共にユーザからの指示をコントローラ１０１に伝える。
【００６０】
以上のような構成を有する周辺機器制御システムは、プリンタエンジン１０４を使用してプリントジョブの発行が可能である。また、プリンタエンジン１０４とスキャナエンジン１０３とを使用してコピージョブの発行が可能である。また、プリンタエンジン１０４とスキャナエンジン１０３とＦＡＸボード１０５とを使用してＦＡＸ受信ジョブ及びＦＡＸ送信ジョブの発行が可能である。
【００６１】
図２は、図１に示すコントローラ１０１を中心としたハードウェア構成を示すブロック図である。図１に示すコントローラ１０１では、図２に示すＣＰＵ（中央演算処理装置）２０１と、ＲＡＭ（ランダムアクセスメモリ）２０２と、ＬＣＤ２０３と、キーボード２０４と、ＲＯＭ（リードオンリーメモリ）２０５と、通信インターフェース２０６と、スキャナエンジン２０７と、プリンタエンジン２０８と、ＦＡＸボード２０９と、ＤＩＳＫ（ディスク）２１０とが、システムバス２１１を介して相互に接続されている。
【００６２】
図１に示すコントローラ１０１を制御するプログラムは、ＲＯＭ２０５若しくは、ＤＩＳＫ２１０に記憶されており、必要に応じてＲＡＭ２０２に読み出され、ＣＰＵ２０１によって実行される。また、ＲＡＭ２０２、ＲＯＭ２０５及びＤＩＳＫ２１０には、制御プログラム以外にも周辺機器や当該周辺機器で処理されるジョブの機能及び状態を示す属性情報や出力の対象となるジョブデータ等を記憶している。また、ＣＰＵ２０１がＬＣＤ２０３を通して表示を行ない、キーボード２０４からユーザの指示を受ける。また、ＣＰＵ２０１が通信インターフェース２０６を通じて外部と通信を行なう。
【００６３】
本実施の形態では、特に断らない限り、図１に示す周辺機器制御システムでは、ＣＰＵ２０１がシステムバス２１１を介してキーボード２０４からユーザの入力を受け取り、且つＲＡＭ２０２と、ＬＣＤ２０３と、ＲＯＭ２０５と、通信インターフェース２０６と、スキャナエンジン２０７と、プリンタエンジン２０８と、ＦＡＸボード２０９とを制御し、それらの機能を実行する。
【００６４】
図３は、図１に示す周辺機器制御システムが動作するネットワークシステムの構成例を示すブロック図である。同図におけるＭＦＰ３０１は、図１に示す周辺機器制御システムを示し、周辺機器であるＰＣ（１）３０２、ＰＣ（２）３０３、ＰＣ（３）３０４は、それぞれ図１で示すようなハードウェア構成を有し、ネットワーク３０５経由でＭＦＰ３０１と接続されたＰＣ（パーソナルコンピュータ）を示す。ネットワーク３０５経由でＭＦＰ３０１と接続されるのは、ワークステーションであっても良いし、他の周辺機器やその他の機器であっても良い。
【００６５】
また、ドライバソフトウェアや機器管理アプリケーションは、ＰＣ（１）３０２またはＰＣ（２）３０３またはＰＣ（３）３０４からネットワーク３０５を経由して、ＭＦＰ３０１に対してプリントやスキャン、コピー、若しくはＦＡＸ送受信といったジョブ処理を依頼したり、ＭＦＰ３０１の属性情報の問い合わせを行なうことができる。
【００６６】
図４は、図２に示すネットワークシステムを構成するＰＣ（パーソナルコンピュータ）のハードウェア構成を示すブロック図である。
【００６７】
図４に示すＰＣは、ＣＰＵ４０１と、ＲＡＭ４０２と、ＣＲＴ（陰極線管）４０３と、キーボード４０４と、ポインティングデバイス４０５と、ＲＯＭ４０６と、ＤＩＳＫ４０７と、通信インターフェース４０８とが、システムバス４０９を介して相互に接続されている。
【００６８】
ＰＣを制御するプログラムは、ＲＯＭ４０６若しくはＤＩＳＫ４０７に記憶されており、必要に応じてＲＡＭ４０２に読み出され、ＣＰＵ４０１によって実行される。また、ＣＰＵ４０１がＣＲＴ４０３を通して表示を行ない、キーボード４０４及びポインティングデバイス４０５からユーザの指示を受ける。また、ＣＰＵ４０１が通信インターフェース４０６を通じて外部と通信を行なう。
【００６９】
本実施の形態では、特に断らない限り、図４に示すＰＣでは、ＣＰＵ４０１がシステムバス４０９を介してキーボード４０４やポインティングデバイス４０５からユーザの入力を受け取り、且つＲＡＭ４０２と、ＣＲＴ４０３と、ＲＯＭ４０６と、ＤＩＳＫ４０７と、通信インターフェース４０８とを制御し、それらの機能を実行する。
【００７０】
また、図１に示す周辺機器システムに対するユーザの指示や、ユーザへの情報表示は、図１に示すローカルなユーザインターフェース１０６を通して行なっても良いし、図３に示すＰＣ（１）３０２またはＰＣ（２）３０３またはＰＣ（３）３０４のようなネットワーク３０５で接続されたクライアントとなる機器を通して行なっても良い。
【００７１】
図５は、図１に示す周辺機器システムに記憶される属性情報の構成の一例を示す図である。図１に示す周辺機器制御システムに保持される情報には、周辺機器の機能や状態を表わす属性のリスト５０１と、内部的に使用するデータを表わす非公開データ５０２とから構成される。属性のリスト５０１は、５０３〜５１８によって示されるような属性名とその属性値のリストであり、現在の機器の機能や状態を示す。
【００７２】
属性のリスト５０１は、列５０３に属性名の代わりに属性識別子が指定された構成でも良い。また、属性のリスト５０１に列挙される属性は、後述する図６に示す「機器がサポートしている属性リスト」に列挙される属性と同一である。
【００７３】
また、列５０３は属性名を、列５０４は列５０３の属性名で示される属性の属性値を示す。属性５０５は、投入された周辺機器の識別子を示す。その属性値５０６は、「機器シリアル・ナンバー」が「１２３４」であることを示す。属性５０７は、周辺機器の名前を示す。その属性値５０８は、「機器名称」が「カラーＭＦＰ」であることを示す。属性５０９は、周辺機器の種類を示す。その属性値５１０は、「機器種別」が「マルチ・ファンクション機器」であることを示す。
属性５１１は、周辺機器を使用する際に必要なパスワードを示す。その属性値５１２は、「パスワード」が「ＡＢＣＤ」であることを示す。属性５１３は、周辺機器の使用履歴に記録するべき情報の種類を示す。その属性値５１４は、「記録情報」が「プリンタ・ファクス」であることを示す。属性５１５は、周辺機器が使用する地域と言語の情報等を示す。その属性値５１６は、「地域・言語情報」が「日本国・日本語」であることを示す。属性５１７は、周辺機器に装着されている部品情報を表わす。その属性値５１８は、「部品情報」として「スキャナ・ランプＳＬ００１Ａ」、「シートフィード・ローラＳＦＲ００２Ａ」、「カラー・トナーＣＴ００３Ａ」等があることを表わす。“ＳＬ００１Ａ”等の文字列は、日本の取扱店で管理している部品コードを表わす。
【００７４】
図６は、図１に示す周辺機器システムが保持する属性一覧である「機器がサポートしている属性リスト」の一例を示す図であり、図２に示すＲＯＭ２０５やＤＩＳＫ２１０内に記憶されている。但し、「機器がサポートしている属性リスト」に列挙される属性は、図６に示す属性以外の他の属性であっても良い。
【００７５】
図６において、６０１は属性名列、６０２は設定可否列、６０３は変更可否列、６０４は獲得可否列、６０５〜６１１は列である。
【００７６】
図６に示す「機器がサポートしている属性リスト」は、当該周辺機器が保持する属性を全て列挙している。また、「機器がサポートしている属性リスト」では、属性名（属性名列６０１）と、その属性に関し、図３に示すＰＣが、工場出荷時に属性値を設定可能な属性であるか否か（設定可否列６０２）、一度設定された情報に対して属性値を変更可能な属性であるか否か（変更可否列６０３）、属性値を獲得可能な属性であるか否か（獲得可否列６０４）を、それぞれ可能なものを「ＴＲＵＥ」で、不可能なものを「ＦＡＬＳＥ」で示している。行６０５は、「機器シリアル・ナンバー」属性のサポート状況を示す。「機器シリアル・ナンバー」属性は、設定可能且つ、変更不可能且つ、獲得可能である。つまり、工場出荷時のみ設定可能であることを表わす。行６０６は、「機器名称」属性のサポート状況を示す。「機器名称」属性は設定不可能且つ、変更不可且つ、獲得可能である。行６０７は、「機器種別」属性のサポート状況を示す。「機器種別」属性は設定不可能且つ、変更不可且つ、獲得可能である。行６０８は、「パスワード」属性のサポート状況を示す。「パスワード」属性は設定可能且つ、変更可且つ、獲得不可である。行６０９は、「記録情報」属性のサポート状況を示す。
「記録情報」属性は設定可能且つ、変更可且つ、獲得可能である。行６１０は、「地域・言語情報」属性のサポート状況を示す。「地域・言語情報」属性は設定可能且つ、変更可能且つ、獲得可能である。行６１１は、「部品情報」属性のサポート状況を示す。「部品情報」属性は設定可能且つ、変更不可能且つ、獲得可能である。
【００７７】
図７は、図１に示す周辺機器制御システムが保持する「地域・言語情報に指定可能な属性のリスト」の一例を示し、図２に示すＲＯＭ２０５やＤＩＳＫ２１０内に記憶されている。
【００７８】
図７に示す「地域・言語情報に指定可能な属性値のリスト」は、周辺機器制御システムが保持する「地域・言語情報」属性の値として、図３のＰＣ（パーソナルコンピュータ）が指定可能な属性値を列挙する。但し、「地域・言語情報に指定可能な属性値のリスト」に列挙される属性値は、図７に示す属性値以外であっても良い。
【００７９】
本実施の形態では、「地域・言語情報」属性が、図１に示す周辺機器制御システムが保持する図６の「機器がサポートしている属性リスト」に列挙されており、また、「地域・言語情報」属性の設定値に応じて必要となるその他の属性も図６の「機器がサポートしている属性リスト」に列挙されているものとする。
【００８０】
「地域・言語情報」属性をＰＣが設定することにより、図１に示す周辺機器制御システムが提示する文字列属性の内容が更新される。
【００８１】
図７において、属性値「ドイツ連邦共和国・ドイツ語」７０１は、ドイツで一般的に使われているドイツ語表記を使用することを示す。また、属性値「米国・英語」７０２は、アメリカ合衆国で一般的に使われている英語を使用することを示す。また、属性値「英国・英語」７０３は、属性値「米国・英語」７０２とは別にイギリスで一般的に使われている英語を使用することを示す。また、属性値「フランス共和国・フランス語」７０４は、フランスで一般的に使われているフランス語を使用することを示す。更に、属性値「日本国・日本語」７０５は、日本において一般に標準語とされる日本語を使用することを示す。
【００８２】
次に、図３に示すＰＣが、図１に示す周辺機器に対して、該周辺機器の属性情報を問い合わせる処理動作について、図８を用いて説明する。
【００８３】
図８は、図３に示すＰＣが、図１に示す周辺機器に対して、該周辺機器の属性情報を問い合わせる処理動作の流れを示すフローチャートである。
【００８４】
まず、ステップＳ８０１で、当該周辺機器に対して、「機器がサポートしている属性リスト」の獲得を要求し、当該属性リストを獲得する。次のステップＳ８０２では、前記ステップＳ８０１において獲得した「機器がサポートしている属性リスト」に対して、該ＰＣが必要としている機能を示す属性「地域・言語情報」（“Ａ”で表わしている）が含まれるか否かを判断する。そして、その答えが肯定（Ｙｅｓ）であった場合はステップＳ８０３へ、否定（Ｎｏ）であった場合はステップＳ８０５へそれぞれ進む。
【００８５】
ステップＳ８０３では、前記ステップＳ８０１において獲得した属性リスト中の「地域・言語情報」属性に関して、当該属性リストより、ＰＣ  が「地域・言語情報」属性を設定可能であるか否かを判断する。そして、その答えが肯定（Ｙｅｓ）であった場合はステップＳ８０４へ、否定（Ｎｏ）であった場合はステップＳ８０５へそれぞれ進む。
【００８６】
ステップＳ８０４では、図１に示す周辺機器から、「地域・言語情報」属性に設定可能な属性値のリストを獲得した後、ステップＳ８０５へ進む。
【００８７】
ステップＳ８０５では、「地域・言語情報」属性はＰＣが獲得可能な属性か否かを判断する。そして、その答えが肯定（Ｙｅｓ）であった場合はステップＳ８０６へ、否定（Ｎｏ）であった場合は本処理動作を終了する。
【００８８】
ステップＳ８０６では、当該周辺機器に対して、「地域・言語情報」属性の値の獲得要求を行ない、「地域・言語情報」属性の値を獲得した後、本処理動作を終了する。
【００８９】
以上の処理により、ＰＣは、図１に示す周辺機器が如何なる属性を保持し、且つ「地域・言語情報」属性に対して如何なる属性値を指定可能であるかを示す情報を得ることができる。また、「地域・言語情報」属性が如何なる値であるのかを示す情報を得ることができる。
【００９０】
図９は、本実施の形態に係る周辺機器制御システムにおける「地域・言語情報」属性の設定画面の一例を示す図である。
【００９１】
図９に示す画面は、ユーザが「地域・言語情報」属性を設定する画面であり、図３に示すＰＣ（１）３０２またはＰＣ（２）３０３またはＰＣ（３）３０４に表示される。図９に示す画面を表示するＰＣ（１）３０２またはＰＣ（２）３０３またはＰＣ（３）３０４では、図９に示す画面を生成する前に、ＰＣが、図８に示す属性情報の獲得フローによって、「地域・言語情報」属性に設定可能な値のリストを獲得しているものとする。
【００９２】
図９において、設定画面のタイトル９０１は、当該設定画面９０１の簡単な説明を表わし、当該設定画面９０１が「地域・言語情報」属性の値を指定するためのものであることを間接的に示している。リストボックス９０２は、図８に示す属性情報の獲得フローによって得られた「地域・言語情報」属性に設定可能な属性値とＰＣとが対応可能な地域・言語との積集合のリストを表示する。図９の例では、ＰＣは日本語と英語にしか対応できないので、「地域・言語情報」属性に設定可能な属性値は５種類あるが、リストの要素は３種類しか表示しない。
【００９３】
図１０は、この積集合の計算を示す図であり、周辺機器の「地域・言語情報」属性に設定可能な属性値（ａ）とＰＣが対応することのできる言語（ｂ）との積が設定画面に表示する項目（ｃ）となる。
【００９４】
リストボックス９０２に列挙される属性値は、図７に示す「地域・言語情報」属性に設定可能な値のリストに列挙されたものに対応する。図４に示すキーボード４０４やポインティングデバイス４０５によって、ユーザはリストボックス９０２から所望の設定値を選択することができる。反転表示９０３は、現在選択されている「地域・言語情報」属性の値を示し、図９では、「米国・英語」と「英国・英語」が選択されている。ＯＫボタン９０４は、「地域・言語情報」属性の属性値を、反転表示９０３で示された値に決定するボタンである。「米国・英語」と「英国・英語」が“ＵＳ  Ｅｎｇｌｉｓｈ”と“ＧＢ  Ｅｎｇｌｉｓｈ”のように英語表記されているのは、ユーザにとって分かりやすくするためである。
テキスト９０５には、周辺機器の「機器名称」属性に保持されている文字列と「機器シリアル・ナンバー」に保持されている番号が表示されている。
【００９５】
次に、図３に示すＰＣが、図１に示す周辺機器に属性を設定する際に、「地域・言語情報」属性を利用して、ユーザに地域・言語を選択・指定させる処理動作について、図１１を用いて説明する。
【００９６】
図１１は、図３に示すＰＣが、図１に示す周辺機器に属性を設定する際に、「地域・言語情報」属性を利用して、ユーザに地域・言語を選択・指定させる処理の流れを示すフローチャートである。
【００９７】
まず、ステップＳ１１０１では、図８に示すフローチャートに従って取得した「地域・言語情報」属性に設定可能な属性値の集合と、図３に示すＰＣが表示することのできる地域・言語の集合との積集合を計算する。次のステップＳ１１０２では、前記ステップＳ１１０１において得られた集合を、図９に示す「地域・言語情報」属性の設定画面によって表示する。そして、次のステップＳ１１０３に進んで、ユーザによる地域・言語の選択とＯＫボタン９０４の押下を待つ。そして、ＯＫボタン９０４が押されたら次のステップＳ１１０４に進む。
【００９８】
ステップＳ１１０４では、周辺機器の「地域・言語情報」属性にユーザが選択した地域・言語の設定要求を送り、しかも、プログラム（周辺機器制御ソフトウェア）自身のアドレスを周辺機器に通知した後、本処理動作を終了する。
【００９９】
但し、設定要求のみでは周辺機器の地域・言語属性は設定されない。
【０１００】
図１２は、図５に示す、その他非公開情報の中に蓄えられる設定要求の情報の構成を示す図である。同図において、５０１は属性のリスト、５０２はその他非公開情報、１２０１，１２０２は列、１２０３，１２０５，１２０７は送信元アドレス、１２０４，１２０６，１２０８は設定要求値である。
【０１０１】
列１２０１には設定要求を送ったＰＣの送信元アドレス１２０３，１２０５，１２０７が記録される。また、列１２０２には対応するＰＣからの「地域・言語情報」への設定要求の内容１２０４，１２０６，１２０８を保持する。若し、同じＰＣから再び設定要求がなされた場合には、先の設定要求の内容１２０４，１２０６，１２０８は上書きされる。例えば、図１２に示すように設定要求の情報が蓄えられている場合に、再び欄１２０５のＰＣ（１）から設定要求がなされた場合には、欄１２０４の内容が上書きされる。
【０１０２】
周辺機器は図１２に示すように蓄えられた情報を元に、図１３に示す例に表わされるような積集合の計算によって、「地域・言語情報」の属性値が決定される。
【０１０３】
図１３において、周辺機器の「地域・言語情報」属性に設定可能な属性値（ａ）とＰＣ（１）３０３が要求する言語（ｂ）とＰＣ（２）３０４が要求する言語（ｃ）との積が「地域・言語情報」に設定される値（ｄ）となる。
【０１０４】
ＰＣからの設定要求は属性値の集合（セット）となっている。まず、記録されている全てのＰＣの設定要求の積集合を作る。その積集合から「地域・言語情報」属性に設定可能な属性値を選び出し、その中の１つを「地域・言語情報」の属性値とする。本実施の形態では、集合の一覧で最も先に現われる属性値が選ばれている。
【０１０５】
図１４は、周辺機器のＬＣＤに表示される画面の一例を示す図である。この画面は、周辺機器の「地域・言語情報」属性に「日本国・日本語」を設定した場合の画面である。本実施の形態にかかる周辺機器制御システムは、この画面でパスワードを入力しなければ周辺機器を使用できないようになっている。
【０１０６】
図１４において、ダイアログのタイトル１４０１には日本語でユーザへの指示が表示されている。テキストボックス１４０２はパスワードを入力する欄である。図９と同様にＯＫボタン１４０３を押すとパスワードが確定するようになっている。テキスト１４０４には現在の時刻が表示されている。
【０１０７】
図１５は、「地域・言語情報」属性に「米国・英語」が設定された場合の画面の一例を示す図であり、同図において図１４と同一部分には同一符号が付してある。図１５において図１４と異なる点は、図１４において日本語表記だった事項（１４０１〜１４０４）が図１５では英語表記になっていることであり、特に、テキスト１４０４は日付・時刻表示が米国式となっている。
【０１０８】
図１６は、「地域・言語情報」属性に「英国・英語」が設定された場合の図５に相当する属性情報を示す図であり、同図において１６０１は属性名列、１６０２は属性値列、１６０３，１６０５，１６０７，１６０９，１６１１，１６１３，１６１５は属性名、１６０４，１６０６，１６０８，１６１０，１６１２，１６１４，１６１６は属性値である。
【０１０９】
図１６において図５と異なる点は、図５における「機器名称」属性が図１６では“ＣｏｌｏｕｒＭＦＰ”に置き換えられている。また、図５における「部品情報」も、図１６では、それぞれの部品の名称がイギリス英語に置き換えられており、また、部品コードもイギリスで使用されているものになっている。
【０１１０】
図１７は、「地域・言語情報」属性に「英国・英語」が設定された場合の図９に相当する「地域・言語情報」の設定画面の一例を示す図であり、同図において図９と同一部分には同一符号が付してある。図１７において図９と異なる点は、図９における機器名称とシリアル・ナンバーが日本語で表示されていたのに対して、図１７では英語表記になっていることである。
【０１１１】
図１８は、図３に示すＰＣのＣＲＴに表示する「部品情報」属性の内容を列挙するダイアログ・ボックスを示す図である。この例では、「地域・言語情報」属性に「日本国・日本語」を設定していることを前提としている。画面の左側に部品名称１８０１、右側に部品コード１８０２が並んで表示されている。
【０１１２】
図１９は、「地域・言語情報」属性に「米国・英語」を設定した場合の図１８に示す画面に相当するダイアログ・ボックスを示す図であり、同図において図１８と同一部分には同一符号が付してある。図１９において図１８と異なる点は、図１８における「部品情報」属性の内容の表記が英語になり、部品コードも米国で管理されているものになっている。
【０１１３】
図２０は、「地域・言語情報」属性の設定によって、「機器名称」や「部品情報」等の情報を切り換える際の、図５に示す「その他非公開情報」５０２に保持されている属性情報を表わす図であり、同図において５０１は属性のリスト、５０２はその他非公開情報、２００１は属性名・言語列、２００２は属性値列、２００３，２００５，２００７，２００９，２０１１，２０１３，２０１５は属性名と地域と言語の組、２００４，２００６，２００８，２０１０，２０１２，２０１４，２０１６は属性値である。図２０においては、「機器名称」や「部品情報」という属性名が、地域・言語毎に用意されている。属性名・言語列２００１には、属性名と地域と言語の組が、属性値列２００２には「属性名と地域と言語」に対応する属性値が並んでいる。
【０１１４】
次に、「地域・言語情報」属性に設定した値に応じて属性情報を更新する際のアルゴリズムを説明する。
【０１１５】
図２１は、「地域・言語情報」属性に設定した値に応じて属性情報を更新する際のアルゴリズムを表わす図である。
【０１１６】
最初の分岐で、「地域・言語情報」属性の値を見て処理を分けている。その後の処理で、各属性の地域・言語情報に対応した属性値を図５に示す属性値５０４の領域に複写している。
【０１１７】
即ち、まず、ステップＳ２１０１で、「地域・言語情報」属性が設定されたか否かを設定されるまで判断する。そして、その答えが工程（Ｙｅｓ）の場合は次のステップＳ２１０２へ進んで、「地域・言語情報」属性の内容を判断する。そして、「地域・言語情報」属性が「米国・英語」の場合にはステップＳ２１０３へ、「英国・英語」の場合にはステップＳ２１０４へ、「日本国・日本語」の場合にはステップＳ２１０５へ、それぞれ進む。
【０１１８】
ステップＳ２１０３では、図２０の欄２００４の内容を図５の欄５０８へコピーし、次のステップＳ２１０６で図２０の欄２０１２の内容を図５の欄５１８へコピーし、その後必要に応じて必要な処理を行なった後、本処理動作を終了する。
【０１１９】
また、ステップＳ２１０４では、図２０の欄２００６の内容を図５の欄５０８へコピーし、次のステップＳ２１０７で図２０の欄２０１４の内容を図５の欄５１８へコピーし、その後必要に応じて必要な処理を行なった後、本処理動作を終了する。
【０１２０】
更に、ステップＳ２１０５では、図２０の欄２００８の内容を図５の欄５０８へコピーし、次のステップＳ２１０８で図２０の欄２０１６の内容を図５の欄５１８へコピーし、その後必要に応じて必要な処理を行なった後、本処理動作を終了する。
【０１２１】
これによって、以降、ＰＣによって属性値を取得しようとした場合には、「地域・言語情報」に対応した属性値を取得できるようになる。
【０１２２】
（第２の実施の形態）
次に、本発明の第２の実施の形態につき、図２２〜図２８に基づき説明する。
【０１２３】
尚、本実施の形態に係る周辺機器制御システムの基本的な構成は上述した第１の実施の形態と同一であるから、必要に応じて第１の実施の形態の図面を流用して説明する。
【０１２４】
図２２は、図１と同一構成の本実施の形態に係る周辺機器制御システムが動作するネットワークシステムの構成例を示すブロック図である。同図において上述した第１の実施の形態の図３と同一部分には同一符号が付してある。
【０１２５】
図２２において図３と異なる点は、本実施の形態の図２２の場合は、周辺機器であるＰＣ（２）３０３とＭＦＰ３０１の上にウェブ・サーバが稼動しており、ウェブ・コンテンツを他のＰＣに提供できるようになっている。ＰＣ（２）３０３のＵＲＬは  ｈｔｔｐ：／／ｗｗｗ．ｘｘｘｘ．ｃｏ．ｊｐ、ＭＦＰ３０１のＵＲＬは  ｈｔｔｐ：／／ｍｆｐ．ｍｙｃｏｍｐａｎｙ．ｃｏ．ｊｐである。
【０１２６】
尚、図２２におけるその他の構成及び作用は、図３と同一である。
【０１２７】
また、本実施の形態に係る周辺機器制御システムにおいては、図６に示す情報は、周辺機器が図２２のＰＣ（２）３０４に搭載されているウェブ・サーバから取得したものである。
【０１２８】
図２３は、本実施の形態に係る周辺機器制御システムにおける「地域・言語情報」属性の設定画面の一例を示す図である。
【０１２９】
図２３に示す画面は、図１に示す周辺機器にジョブを投入する際に、ユーザが「地域・言語情報」属性を設定する画面であり、同図において、上述した第１の実施の形態における図９と同一部分には同一符号が付してある。
【０１３０】
図２３において図９と異なる点は、反転表示９０３の部分（現在選択されている「地域・言語情報」属性の値）である。即ち、図２３においては、「日本国・日本語」が選択されている。
【０１３１】
尚、図２３におけるその他の構成及び作用は、図９と同一である。
【０１３２】
次に、本実施の形態に係る周辺機器制御システムにおける図２２に示すＰＣが、図１に示す周辺機器に属性を設定する際に、「地域・言語情報」属性を利用して、ユーザに地域・言語を選択・指定させる処理動作について、図２４を用いて説明する。
【０１３３】
まず、ステップＳ２４０１では、図８のフローチャートに従って取得した「地域・言語情報」属性に設定可能な属性値の集合と、図３に示すＰＣが表示することができる地域・言語の集合との積集合を計算する。次のステップＳ２４０２では、前記ステップＳ２４０１において取得された積集合を、ダイアログのリストとして、図２３に示す「地域・言語情報」属性の設定画面によって表示する。次のステップＳ２４０３では、ユーザによる地域・言語の選択とＯＫボタン９０４の押下を待つ。そして、ＯＫボタン９０４が押下されたならば、次のステップＳ２４０４へ進んで、周辺機器の「地域・言語情報」属性にユーザが選択した地域・言語を設定した後、本処理動作を終了する。
【０１３４】
図２５は、周辺機器に接続されたウェブ・プラウザに表示される画面の一例を示す図である。この画面は、周辺機器の「地域・言語情報」属性に「日本国・日本語」を設定した場合の画面であり、プリンタやスキャナやファクスの状態が日本語で表示されている。
【０１３５】
図２６は、周辺機器の「地域・言語情報」属性に「米国・英語」が設定された場合の画面であり、図２５において日本語表記であった事項が英語表記になっている。
【０１３６】
図２７は、「地域・言語情報」属性の設定によって、ウェブ・コンテンツを切り換える際に必要な、図５に示す「その他非公開情報」５０２に保持されているＵＲＬ情報を示す図である。同図に示すように、地域・言語毎に対応するＵＲＬが用意されている。
【０１３７】
図２７において、５０１は属性のリスト、５０２はその他非公開情報、２７０１，２７０２は列、２７０３，２７０５，２７０７は地域と言語の対（地域・言語）、２７０４，２７７０６，２７０８はＵＲＬである。
【０１３８】
列２７０１には地域・言語２７０３，２７０５，２７０７，２７０９が、列２７０２には対応するＵＲＬ２７０４，２７０６，２７０８，２７１０が並んでいる。ここに並ぶＵＲＬ２７０４，２７０６，２７０８，２７１０を参照すると、その地域・言語に対応したウェブ・コンテンツが得られる。
【０１３９】
本実施の形態では、図３に示すＰＣ（２）３０４にこれらウェブ・コンテンツが保存されているものとしている。つまり、ＵＲＬのリンク先はＰＣ（２）３０４内である。
【０１４０】
次に、本実施の形態に係る周辺機器制御システムにおいて、「地域・言語情報」属性に設定した値に応じてウェブ・コンテンツを更新する際のアルゴリズムを説明する。
【０１４１】
図２８は、「地域・言語情報」属性に設定した値に応じてウェブ・コンテンツを更新する際のアルゴリズムを表わす図である。
【０１４２】
最初の分岐で、「地域・言語情報」属性の値を見て処理を分けている。その後の処理で、各属性の地域・言語情報に対応したウェブ・コンテンツを図３に示すＰＣ（２）３０４より取得し、周辺機器内のｍｆｐ．ｍｙｃｏｍｐａｎｙ．ｃｏ．ｊｐ以下のディレクトリに保存している。
【０１４３】
即ち、まず、ステップＳ２８０１で、「地域・言語情報」属性が設定されたか否かを設定されるまで判断する。そして、その答えが工程（Ｙｅｓ）の場合は次のステップＳ２８０２へ進んで、「地域・言語情報」属性の内容を判断する。そして、「地域・言語情報」属性が「米国・英語」の場合にはステップＳ２８０３へ、「英国・英語」の場合にはステップＳ２８８４へ、「日本国・日本語」の場合にはステップＳ２１０５へ、それぞれ進む。
【０１４４】
ステップＳ２８０３では、図２７の欄２７０４の内容が指すＵＲＬからウェブ・コンテンツを取得し、次のステップＳ２８０６で前記ステップＳ２８０３において取得したウェブ・コンテンツを周辺機器内のハードディスクに保存し、その後必要に応じて必要な処理を行なった後、本処理動作を終了する。
【０１４５】
また、ステップＳ２８０４では、図２７の欄２７０６の内容が指すＵＲＬからウェブ・コンテンツを取得し、次のステップＳ２８０７で前記ステップＳ２８０４において取得したウェブ・コンテンツを周辺機器内のハードディスクに保存し、その後必要に応じて必要な処理を行なった後、本処理動作を終了する。
【０１４６】
更に、ステップＳ２８０５では、図２７の欄２７０８の内容が指すＵＲＬからウェブ・コンテンツを取得し、次のステップＳ２８０８で前記ステップＳ２８０５において取得したウェブ・コンテンツを周辺機器内のハードディスクに保存し、その後必要に応じて必要な処理を行なった後、本処理動作を終了する。
【０１４７】
これによって、以降、ＰＣによってウェブ・コンテンツを取得しようとして ｈｔｔｐ：／／ｍｆｐ．ｍｙｃｏｍｐａｎｙ．ｃｏ．ｊｐにアクセスした場合には、「地域・言語情報」に対応したウェブ・コンテンツを取得できるようになる。
【０１４８】
本発明の目的は、上記各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても達成されることは言うまでもない。
【０１４９】
この場合、記憶媒体から読み出されたプログラムコード自体が前述した実施の形態の機能を実現することになり、そのプログラムコードを記憶した記憶媒体は本発明を構成することになる。
【０１５０】
また、プログラムコードを供給するための記憶媒体としては、例えば、フロッピー（Ｒ）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【０１５１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【０１５２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【０１５３】
【発明の効果】
以上詳述したように、本発明によれば、ウェブ・コンテンツの地域・言語情報に指定可能な情報を、ネットワーク等の通信手段を介して外部から取得及び設定することができる。
【図面の簡単な説明】
【図１】本発明の第１の実施形態に係る周辺機器制御システムの全体構成を示すブロック図である。
【図２】図１に示すコントローラのハードウェア構成の一例を示すブロック図である。
【図３】図１に示す周辺機器が動作するネットワークシステム構成の一例を示すブロック図である。
【図４】図３に示すシステムを構成するＰＣのハードウェア構成の一例を示すブロック図である。
【図５】図４に示す周辺機器で記憶される属性情報の構成の一例を示す図である。
【図６】図４に示す周辺機器が保持する属性一覧の一例を示す図である。
【図７】図４に示す周辺機器が保持する「地域・言語情報」属性に設定可能な値のリストの一例を示す図である。
【図８】図４に示す周辺機器に対して、当該周辺機器の能力情報を問い合わせる処理動作の流れの一例を示すフローチャートである。
【図９】図４に示す周辺機器の「地域・言語情報」属性の設定画面の一例を示す図である。
【図１０】図９に示す設定画面に表示する項目の選び方を表わす図である。
【図１１】本発明の第１の実施の形態に係る周辺機器制御システムにおいて、ユーザの選択に従って周辺機器の「地域・言語情報」属性を設定する処理動作の流れの一例を示すフローチャートである。
【図１２】本発明の第１の実施の形態に係る周辺機器制御システムにおける設定要求の記録を表わす図である。
【図１３】本発明の第１の実施の形態に係る周辺機器制御システムにおける「地域・言語情報」属性を設定する際の属性値を決定する計算方法を示す図である。
【図１４】本発明の第１の実施の形態に係る周辺機器制御システムにおける「地域・言語情報」属性に「日本国・日本語」を設定した場合の周辺機器のパスワード画面の一例を示す図である。
【図１５】本発明の第１の実施の形態に係る周辺機器制御システムにおける「地域・言語情報」属性に「米国・英語」を設定した場合の周辺機器のパスワード画面の一例を示す図である。
【図１６】本発明の第１の実施の形態に係る周辺機器制御システムにおける「地域・言語情報」属性に「英国・英語」を設定した場合の図５に対応する属性情報の一例を示す図である。
【図１７】本発明の第１の実施の形態に係る周辺機器制御システムにおける「地域・言語情報」属性に「英国・英語」を設定した場合の「地域・言語情報」の設定画面の一例を示す図である。
【図１８】本発明の第１の実施の形態に係る周辺機器制御システムにおける「部品情報」属性の内容を列挙するＰＣ上のダイアログ・ボックス（「地域・言語情報」属性に「日本国・日本語」を設定している場合）を示す図である。
【図１９】本発明の第１の実施の形態に係る周辺機器制御システムにおける「部品情報」属性の内容を列挙するＰＣ上のダイアログ・ボックス（「地域・言語情報」属性に「米国・英語」を設定している場合）を示す図である。
【図２０】本発明の第１の実施の形態に係る周辺機器制御システムにおける「その他非公開情報」に保持されている属性情報の一例を示す図である。
【図２１】本発明の第１の実施の形態に係る周辺機器制御システムにおける「地域・言語情報」属性の設定に応じて他の属性値を更新するアルゴリズムを示す図である。
【図２２】本発明の第２の実施の形態に係る周辺機器制御システムにおける周辺機器が動作するネットワークシステム構成の一例を示すブロック図である。
【図２３】本発明の第２の実施の形態に係る周辺機器制御システムにおける周辺機器の「地域・言語情報」属性の設定画面の一例を示す図である。
【図２４】本発明の第２の実施の形態に係る周辺機器制御システムにおいて、ユーザの選択に従って周辺機器の「地域・言語情報」属性を設定する処理動作の流れを示すフローチャートである。
【図２５】本発明の第２の実施の形態に係る周辺機器制御システムにおいて、「地域・言語情報」属性に「日本国・日本語」を設定した場合の周辺機器のウェブ画面の一例を示す図である。
【図２６】本発明の第２の実施の形態に係る周辺機器制御システムにおいて、「地域・言語情報」属性に「米国・英語」を設定した場合の周辺機器のウェブ画面の一例を示す図である。
【図２７】本発明の第２の実施の形態に係る周辺機器制御システムにおける「その他非公開情報」に保持されているＵＲＬ情報の一例を示す図である。
【図２８】本発明の第２の実施の形態に係る周辺機器制御システムにおける「地域・言語情報」属性の設定に応じてウェブ・コンテンツを更新するアルゴリズムを示す図である。
【符号の説明】
１０１    コントローラ
１０２    通信インターフェース
１０３    スキャナエンジン（周辺機器）
１０４    プリンタエンジン（周辺機器）
１０５    ＦＡＸボード（周辺機器）
１０６    ユーザインターフェース
２０１    ＣＰＵ（中央演算処理装置）
２０２    ＲＡＭ（ランダムアクセスメモリ）
２０３    ＬＣＤ
２０４    キーボード
２０５    ＲＯＭ（リードオンリーメモリ）
２０６    通信インターフェース２０６
２０７    スキャナエンジン（周辺機器）
２０８    プリンタエンジン（周辺機器）
２０９    ＦＡＸボード（周辺機器）
２１０    ＤＩＳＫ（ディスク）
２１１    システムバス
４０１    ＣＰＵ
４０２    ＲＡＭ
４０３    ＣＲＴ（陰極線管）
４０４    キーボード
４０５    ポインティングデバイス
４０６    ＲＯＭ
４０７    ＤＩＳＫ
４０８    通信インターフェース
４０９    システムバス
５０１    周辺機器の機能や状態を表わす属性のリスト
５０２    内部的に使用するデータを表わす非公開データ（その他非公開情報）
５０３    属性名列
５０４    属性値列
５０５    属性名
５０６    属性値
５０７    属性名
５０８    属性値
５０９    属性名
５１０    属性値
５１１    属性名
５１２    属性値
５１３    属性名
５１４    属性値
５１５    属性名
５１６    属性値
５１７    属性名
５１８    属性値
６０１    属性名列
６０２    設定可否列
６０３    変更可否列
６０４    獲得可否列
６０５    行
６０６    行
６０７    行
６０８    行
６０９    行
６１０    行
７０１    属性値「ドイツ連邦共和国・ドイツ語」
７０２    属性値「米国・英語」
７０３    属性値「英国・英語」
７０４    属性値「フランス共和国・フランス語」
７０５    属性値「日本国・日本語」
９０１    設定画面
９０２    リストボックス
９０３    反転表示
９０４    ＯＫボタン
９０５      テキスト
１２０１    送信元アドレス列
１２０２    設定要求値列
１２０３    送信元アドレス
１２０４    設定要求値
１２０５    送信元アドレス
１２０６    設定要求値
１２０７    送信元アドレス
１２０８    設定要求値
１４０１    ダイアログのタイトル
１４０２    テキストボックス
１４０３    ＯＫボタン
１４０４    テキスト
１６０１    属性名列
１６０２    属性値列
１６０３    属性名
１６０４    属性値
１６０５    属性名
１６０６    属性値
１６０７    属性名
１６０８    属性値
１６０９    属性名
１６１０    属性値
１６１１    属性名
１６１２    属性値
１６１３    属性名
１６１４    属性値
１６１５    属性名
１６１６    属性値
１８０１    部品名称
１８０２    部品コード
２００１    属性名・言語列
２００２    属性値列
２００３    属性名と地域と言語の組
２００４    属性値
２００３    属性名と地域と言語の組
２００５    属性値
２００６    属性名と地域と言語の組
２００７    属性値列
２００８    属性名と地域と言語の組
２００９    属性値
２０１０    属性名と地域と言語の組
２０１１    属性値
２０１２    属性名と地域と言語の組
２０１３    属性値
２０１４    属性名と地域と言語の組
２０１５    属性値
２０１６    属性名と地域と言語の組
２０１７    属性値
２０１８    属性名と地域と言語の組
２７０１    地域・言語列
２７０２    ＵＲＬ列
２７０３    地域・言語
２７０４    ＵＲＬ
２７０５    地域・言語
２７０６    ＵＲＬ
２７０７    地域・言語
２７０８    ＵＲＬ
２７０９    地域・言語
２７１０    ＵＲＬ
【図１】
0004574055.tif 000002
【図２】
0004574055.tif 000003
【図３】
0004574055.tif 000004
【図４】
0004574055.tif 000005
【図５】
0004574055.tif 000006
【図６】
0004574055.tif 000007
【図７】
0004574055.tif 000008
【図８】
0004574055.tif 000009
【図９】
0004574055.tif 000010
【図１０】
0004574055.tif 000011
【図１１】
0004574055.tif 000012
【図１２】
0004574055.tif 000013
【図１３】
0004574055.tif 000014
【図１４】
0004574055.tif 000015
【図１５】
0004574055.tif 000016
【図１６】
0004574055.tif 000017
【図１７】
0004574055.tif 000018
【図１８】
0004574055.tif 000019
【図１９】
0004574055.tif 000020
【図２０】
0004574055.tif 000021
【図２１】
0004574055.tif 000022
【図２２】
0004574055.tif 000023
【図２３】
0004574055.tif 000024
【図２４】
0004574055.tif 000025
【図２５】
0004574055.tif 000026
【図２６】
0004574055.tif 000027
【図２７】
0004574055.tif 000028
【図２８】
0004574055.tif 000029